(57)【特許請求の範囲】
【請求項１】
同一の周波数帯域を用いて互いに無線通信を行う複数の無線通信装置であって、
キャリアセンスによりチャネルが空き状態であることを検出すると所定の期間に亘ってチャネルを利用することを示す開始フレームを生成する開始フレーム生成部と、
前記開始フレームを生成した後、前記期間内において送信される全てのフレームに対して自装置が前記期間に亘ってチャネルを利用する権利を有する送信権取得通信局であることを示す通知情報を含める通知情報生成部と、
前記開始フレーム及び前記通知情報を含むフレームを送信する無線通信部と、
を備えることを特徴とする無線通信装置。
【請求項２】
同一の周波数帯域を用いて互いに無線通信を行う複数の無線通信装置であって、
キャリアセンスによりチャネルが空き状態であることを検出すると所定の期間に亘ってチャネルを利用することを示す開始フレームを生成する開始フレーム生成部と、
前記開始フレームを生成した後、前記期間内において送信されるフレームのうち当該フレームの宛先に対して最初に送信するフレームとして自装置が前記期間に亘ってチャネルを利用する権利を有する送信権取得通信局であることを示す通知情報を含むフレームを生成する通知情報生成部と、
前記開始フレーム及び前記通知情報を含むフレームを送信する無線通信部と、
を備えることを特徴とする無線通信装置。
【請求項３】
請求項１又は請求項２のいずれか一項に記載の無線通信装置であって、
前記通知情報生成部は、前記通知情報をフレームに含まれる制御情報の一部として生成し、
自装置が前記送信権取得通信局でない場合、受信したフレームに前記通知情報を検出すると、受信したフレームの送信元の無線通信装置が前記送信権取得通信局であると判定する送信権取得通信局判定部を更に備える
ことを特徴とする無線通信装置。
【請求項４】
請求項１又は請求項２のいずれか一項に記載の無線通信装置であって、
前記通知情報生成部は、フレームの宛先の無線通信装置を変更する都度、前記通知情報を含むフレームを生成し、
自装置が前記送信権取得通信局でない場合に前記フレームを受信すると、受信した前記フレームの送信元の無線通信装置が前記送信権取得通信局であると判定する送信権取得通信局判定部を更に備える
ことを特徴とする無線通信装置。
【請求項５】
同一の周波数帯域を用いて互いに無線通信を行う複数の無線通信装置における無線通信方法であって、
キャリアセンスによりチャネルが空き状態であることを検出すると所定の期間に亘ってチャネルを利用することを示す開始フレームを生成するステップと、
前記開始フレームを生成した後、前記期間内において送信される全てのフレームに対して自装置が前記期間に亘ってチャネルを利用する権利を有する送信権取得通信局であることを示す通知情報を含めるステップと、
前記開始フレーム及び前記通知情報を含むフレームを送信するステップと
を有することを特徴とする無線通信方法。
【請求項６】
同一の周波数帯域を用いて互いに無線通信を行う複数の無線通信装置における無線通信方法であって、
キャリアセンスによりチャネルが空き状態であることを検出すると所定の期間に亘ってチャネルを利用することを示す開始フレームを生成するステップと、
前記開始フレームを生成した後、前記期間内において送信されるフレームのうち当該フレームの宛先に対して最初に送信するフレームとして自装置が前記期間に亘ってチャネルを利用する権利を有する送信権取得通信局であることを示す通知情報を含むフレームを生成するステップと、
前記開始フレーム及び前記通知情報を含むフレームを送信するステップと
を有することを特徴とする無線通信方法。
【発明の詳細な説明】
【技術分野】
【０００１】
本発明は、無線通信装置、及び無線通信方法に関する。
【背景技術】
【０００２】
近年、２．４ＧＨｚ帯又は５ＧＨｚ帯を用いた高速無線アクセスシステムとしてＩＥＥＥ８０２．１１ｇ規格やＩＥＥＥ８０２．１１ａ規格などの普及が目覚ましい。これらのシステムでは、マルチパスフェージング環境での特性を安定化させるための技術である直交周波数分割多重（ＯＦＤＭ：Orthogonal Frequency Division Multiplexing）変調方式を用い、最大で５４Ｍｂｐｓの物理層伝送速度を実現している（例えば、非特許文献１参照）。
【０００３】
ただし、ここでの伝送速度は物理レイヤ上での伝送速度であり、実際にはＭＡＣ（Medium Access Control）レイヤでの伝送効率が５０〜７０％程度であるため、実際のスループットの上限値は３０Ｍｂｐｓ程度であり、情報を送信しようとする通信局が増えればこの特性は更に低下する。一方で、有線ＬＡＮ（Local Area Network）では、Ｅｔｈｅｒｎｅｔ（登録商標）の１００Ｂａｓｅ−Ｔインタフェースをはじめ、各家庭にも光ファイバを用いたＦＴＴＨ（Fiber to the home）の普及から、１００Ｍｂｐｓの高速回線の提供が普及しており、無線ＬＡＮにおいても更なる伝送速度の高速化が求められている。
【０００４】
そのための技術として、ＩＥＥＥ８０２．１１ｎ規格において、空間多重送信技術としてＭＩＭＯ（Multiple Input Multiple Output）技術が導入された。更に、ＩＥＥＥ８０２．１１ａｃでは、空間分割多元接続（ＳＤＭＡ：Space Division Multiple Access）を適用したマルチユーザＭＩＭＯ（ＭＵ−ＭＩＭＯ）送信方法が検討されている（例えば、非特許文献２参照）。
【０００５】
ＩＥＥＥ８０２．１１準拠の無線ＬＡＮシステムでは、ＣＳＭＡ／ＣＡ（Carrier Sense Multiple Access with Collision Avoidance：搬送波感知多重アクセス）に基づくアクセス制御手順を採り入れて、各通信局は他の通信局との信号の衝突を回避する。送信要求が発生した通信局は、まず所定のセンシング期間（ＤＩＦＳ：Distributed Inter-Frame Space）だけ無線媒体の状態を監視し、この間に他の通信局による送信信号が存在しなければ、ランダム・バックオフを行う。通信局は、引き続きランダム・バックオフ期間中も無線媒体を監視するが、この間にも他の通信局による送信信号が存在しない場合に、所定の期間に渡る排他的なチャネルの送信権（ＴＸＯＰ：Transmission Opportunity）を得る。このように送信権（ＴＸＯＰ）を得た通信局はＴＸＯＰ  Ｈｏｌｄｅｒ（以下、送信権取得通信局）と呼ばれる。送信権取得通信局となった通信局は、ＴＸＯＰ期間内で再びＣＳＭＡ／ＣＡを実施することなく、連続的にフレームを送信することができる。
【０００６】
また、無線通信における隠れ端末問題を解決する方法として、「仮想キャリアセンス」が挙げられる。具体的には、通信局は、自局宛てではない受信フレーム中に無線媒体を予約するためのＤｕｒａｔｉｏｎ（持続使用期間）情報が含まれている場合には、このＤｕｒａｔｉｏｎ情報に応じた期間はメディアが使用されているものとし（仮想キャリアセンス）、当該期間を送信停止期間（ＮＡＶ：Network Allocation Vector）として設定し、ＮＡＶ期間においてフレームの送信を行わないようにする。これによって、ＴＸＯＰ期間におけるチャネルの排他的利用が保証される。
【０００７】
通信局は、フレームを受信すると上述通り必要に応じてＮＡＶを設定すると同時に、受信したフレームはＴＸＯＰ期間を開始するフレームであれば、受信したフレームの送信元通信局、いわゆる、送信権取得通信局を識別する情報（例えば、ＭＡＣアドレス）を記録しておく（例えば、非特許文献３参照）。ＴＸＯＰ期間が終了すると記憶した送信権取得通信局を識別する情報を削除する。なお、ＴＸＯＰ期間を開始するフレームとは、特別なフレームではなく、例えばＲＴＳ（Request To Send：送信要求）フレームのような当該フレームを送信することにより一定期間に渡ってチャネルを予約する信号である。したがって、当該フレームにより明示的にＴＸＯＰ期間が開始されることを示す情報は含まれていない。
【０００８】
通信局は、ＴＸＯＰ期間内において再度フレームを受信すると、その受信フレームの送信元アドレスと、送信権取得通信局を識別する情報として記憶したＭＡＣアドレスとが同一であるかどうか確認する。もし、同一ならば、受信フレームの送信元通信局は送信権取得通信局であると判断し、自局内のＮＡＶの設定有無に関わらず必要な返信フレームを送信する。これによって、送信権取得通信局は同一ＴＸＯＰ期間内で異なる複数の通信局とデータの送受信を行うことができる。
以下、図１４及び図１５を用いて、通信局間において行われるフレームの送受信の例を示す。
【０００９】
図１４は、送信権取得通信局がＴＸＯＰ内において他の通信局宛にデータフレームを複数送信する際に、フレームを送信するタイミングの例を示したタイムチャートである。同図において、横軸は時間を示している。ここでは、基地局装置ＡＰ（Access Point）９と無線端末ＷＴ（Wireless Terminal）９１〜ＷＴ９３とが通信局としてあり、基地局装置ＡＰ９が無線端末ＷＴ９１〜ＷＴ９３宛のデータを収容し、無線端末ＷＴ９１〜ＷＴ９３宛のデータフレームを同一ＴＸＯＰ期間内で送信する例を示している。基地局装置ＡＰ９は、ＴＸＯＰを取得し、まず無線端末ＷＴ９１に対してデータを送信する。基地局装置ＡＰ９は無線端末ＷＴ９１とのデータ通信を終えると無線端末ＷＴ９２に対してデータを送信し、最後に無線端末ＷＴ９３に対してデータを送信する。
【００１０】
以下、基地局装置ＡＰ９及び無線端末ＷＴ９１〜ＷＴ９３の動作を説明する。
まず、基地局装置ＡＰ９は、無線端末ＷＴ９１〜ＷＴ９３宛のデータが生起するとＣＳＭＡ／ＣＡを実施し、所定のセンシング期間及びランダム・バックオフ時間に亘って他の通信局から送信された信号が検出されないことを確認して送信権（ＴＸＯＰ）を取得する。基地局装置ＡＰ９は送信権を取得したために送信権取得通信局（TXOP Holder）になり、フレームの送信を行う。基地局装置ＡＰ９は無線端末ＷＴ９１宛に、フレーム・シーケンスの開始を示す開始フレームとしてのＲＴＳフレームを送信する（時刻ｔ９１１）。
無線端末ＷＴ９１は、受信したＲＴＳフレームの宛先が自局であり、また、自局内で送信停止期間が設定されていないため、基地局装置ＡＰ９宛にＣＴＳ（Clear To Send：送信許可）フレームを返信する（時刻ｔ９１２）。これにより、無線端末ＷＴ９１はデータを受信できる状態にある旨を基地局装置ＡＰ９に対して通知する。
一方、基地局装置ＡＰ９からＲＴＳフレームを受信した他の通信局である、無線端末ＷＴ９２及び無線端末ＷＴ９３はＲＴＳフレームの宛先が自局でないため、ＲＴＳフレーム内に含まれる持続使用期間情報が示す期間をＮＡＶ期間（送信停止期間）に設定し、該当するＮＡＶ期間内においてフレームの送信を行わないようにする。また、基地局装置ＡＰ９からＲＴＳフレームを受信したことにより、ＴＸＯＰ期間（利用送信権期間）が開始されたことを検出すると共に、無線端末ＷＴ９１〜ＷＴ９３は、基地局装置ＡＰ９が送信権取得通信局であることを記憶する。
基地局装置ＡＰ９は、無線端末ＷＴ９１からＣＴＳフレームを受信すると、無線端末ＷＴ９１宛のデータフレームを送信する（時刻ｔ９１３）。
無線端末ＷＴ９１は、自局宛のデータフレームを正しく受信すると、基地局装置ＡＰ９に対してＢＡ（Block ACK）フレーム（又はＡＣＫ（Acknowledgement：肯定応答）フレーム）を返信し（時刻ｔ９１４）、フレームの送受信を終える。
【００１１】
次に、基地局装置ＡＰ９は、無線端末ＷＴ９２宛のデータを送信するため、宛先を無線端末ＷＴ９２としたＲＴＳフレームを送信する（時刻ｔ９１５）。ここで、無線端末ＷＴ９２は、送信権取得通信局である基地局装置ＡＰ９からＲＴＳフレームを受信したため、ＮＡＶ期間内であるか否かに関わらず、送信権取得通信局宛にＣＴＳフレームを返信する（時刻ｔ９１６）。
無線端末ＷＴ９１及び無線端末ＷＴ９３は、自局宛ではないＲＴＳフレームを受信したため、ＮＡＶ期間を設定する。既にＮＡＶ期間が設定されている場合は、ＮＡＶ値を更新する。
基地局装置ＡＰ９は、無線端末ＷＴ９２からＣＴＳフレームを正しく受信すると、無線端末ＷＴ９２宛のデータフレームを送信する（時刻ｔ９１７）。
無線端末ＷＴ９２は、基地局装置ＡＰ９からデータフレームを正しく受信すると、基地局装置ＡＰ９に対してＢＡフレーム（又はＡＣＫフレーム）を返信し（時刻ｔ９１８）、フレームの送受信を終える。
【００１２】
次に、基地局装置ＡＰ９は、無線端末ＷＴ９３宛のデータを送信するため、宛先を無線端末ＷＴ９３としたＲＴＳフレームを送信する（時刻ｔ９１９）。ここで、無線端末ＷＴ９３は、送信権取得通信局である基地局装置ＡＰ９からＲＴＳフレームを受信したため、ＮＡＶ期間内であるか否かに関わらず、送信権取得通信局宛にＣＴＳフレームを返信する（時刻ｔ９２０）。
一方、無線端末ＷＴ９１及び無線端末ＷＴ９２は、自局宛ではないＲＴＳフレームを受信したため、ＮＡＶ期間を設定する。既にＮＡＶ期間が設定されている場合は、ＮＡＶ値を更新する。
基地局装置ＡＰ９は、無線端末ＷＴ９３からＣＴＳフレームを正しく受信すると、無線端末ＷＴ９３宛のデータフレームを送信する（時刻ｔ９２１）。
無線端末ＷＴ９３は、基地局装置ＡＰ９からデータフレームを正しく受信すると、基地局装置ＡＰ９に対してＢＡフレーム（又はＡＣＫフレーム）を返信し（時刻ｔ９２２）、フレームの送受信を終える。
【００１３】
ＩＥＥＥ８０２．１１ｎでは、ＴＸＯＰ内でのデータ伝送を更に効率化するために、ＲＤ（Reverse Direction）プロトコルが導入されている。従前の技術では、ＴＸＯＰを取得した通信局がデータフレームを送信し、それに対する返信フレームを受信する一方向のデータ伝送のみが行われる。これに対し、ＲＤプロトコルでは、ＴＸＯＰを取得した通信局が、データを送信する際にＭＡＣフレーム内の特定のフィールドで「ＲＤＧ（RD Grant）＝１」、すなわち、逆方向のデータ伝送を許可することを示す情報（逆方向許可情報）を送信することで、そのデータの受信局は、同じＴＸＯＰ内でＴＸＯＰを取得した通信局（TXOP holder）を宛先とした逆方向のデータフレームを送信することができる（例えば、非特許文献４参照）。
【００１４】
図１５は、ＩＥＥＥ８０２．１１ｎにおけるＲＤプロトコルを適用し、双方向にデータの送受信が行われる際のフレームの例を示したタイムチャートである。同図において、横軸は時間を示している。ここでは、基地局装置ＡＰ９と無線端末ＷＴ９１〜ＷＴ９３とが通信局としてあり、基地局装置ＡＰ９が無線端末ＷＴ９１及び無線端末ＷＴ９３とデータの送受信を互いに行う例を示している。
基地局装置ＡＰ９は、送信権を得て無線端末ＷＴ９１宛に、開始フレームとしてのＲＴＳフレームを送信し（時刻ｔ９３１）、無線端末ＷＴ９１からＣＴＳフレームを受信し（時刻ｔ９３２）、無線端末ＷＴ９１宛にデータフレームを送信する（時刻ｔ９３３）。このとき、基地局装置ＡＰ９は、データフレームに含まれるＭＡＣヘッダ内のＲＤＧフィールドに「１」を設定することにより、ＲＤ（逆方向）での送信が可能であることを無線端末ＷＴ９１に通知する。
無線端末ＷＴ９１は、ＲＤＧフィールドに「１」が設定されたＭＡＣヘッダを含むデータフレームを受信すると、基地局装置ＡＰ９宛にデータを送信可能であることを検出し、ＲＤＧフィールドに「１」を設定したＢＡフレームを返信する（時刻ｔ９３４）。これにより、無線端末ＷＴ９１は、ＲＤにより送信するデータがあることを基地局装置ＡＰ９に通知する。
そして、無線端末ＷＴ９１は、ＳＩＦＳ（Short Inter-frame space）の後に基地局装置ＡＰ９宛にデータフレームを送信する（時刻ｔ９３５）。なお、無線端末ＷＴ９１は、送信するデータフレームに含まれるＭＡＣヘッダ内のＲＤＧフィールドに「０」を設定することで、送信する最後のデータフレームであることを、送信権取得通信局である基地局装置ＡＰ９に通知する。基地局装置ＡＰ９は、無線端末ＷＴ９１からデータフレームを受信すると、無線端末ＷＴ９１にＢＡフレーム（又はＡＣＫフレーム）を返信し（時刻ｔ９３６）、無線端末ＷＴ９１との通信を終える。
【００１５】
次に、基地局装置ＡＰ９は、宛先を無線端末ＷＴ９３としたＲＴＳフレームを送信する（時刻ｔ９３７）。ここで、無線端末ＷＴ９３は、送信権取得通信局である基地局装置ＡＰ９からＲＴＳフレームを受信したために、ＮＡＶ期間であるか否かに関わらず送信権取得通信局にＣＴＳフレームを返信する（時刻ｔ９３８）。
一方、無線端末ＷＴ９１及び無線端末ＷＴ９２は、自局宛でないＲＴＳフレームを受信したため、ＮＡＶ期間を設定する。既にＮＡＶ期間が設定されている場合は、ＮＶＡ期間を更新する。
基地局装置ＡＰ９は、無線端末ＷＴ９３からＣＴＳフレームを正しく受信すると、無線端末ＷＴ９３宛のデータフレームを送信する（時刻ｔ９３９）。ここで、基地局装置ＡＰ９は、送信したデータフレームに含まれるＲＤＧフィールドに「１」を設定することで、無線端末ＷＴ９３に逆方向（ＲＤ）での送信が可能であることを無線端末ＷＴ９３に通知する。
無線端末ＷＴ９３は、ＲＤＧフィールドに「１」が設定されているデータフレームを基地局装置ＡＰ９から受信すると、基地局装置ＡＰ９に対してＢＡフレームと共にデータフレームを送信する（時刻ｔ９４０）。
基地局装置ＡＰ９は、ＲＤＧフィールドに「０」が設定されているデータフレームを無線端末ＷＴ９３から正しく受信すると、無線端末ＷＴ９３に対してＢＡフレームを送信し（時刻ｔ９４１）、無線端末ＷＴ９３との通信を終える。
【先行技術文献】
【非特許文献】
【００１６】
【非特許文献１】守倉正博、久保田周治監修、「８０２．１１高速無線ＬＡＮ教科書」改訂三版、株式会社インプレスＲ＆Ｄ、２００８年４月１１日
【非特許文献２】IEEE, "Proposed specification framework for TGac," doc.： IEEE 802.11-09/0992r21, Jan. 2011.
【非特許文献３】IEEE, "IEEE Std 802.11-2007"
【非特許文献４】IEEE, "IEEE Std 802.11n-2009"
【発明の概要】
【発明が解決しようとする課題】
【００１７】
図１４及び図１５に示した例のように各々の通信局は、フレーム・シーケンスの開始フレームを正しく受信することにより、フレーム・シーケンスを開始させた通信局、いわゆる送信権取得通信局を検出し、記憶することができる。しかし、全ての通信局において、フレーム・シーケンスの開始フレームを正しく受信することができない場合がある。以下、図１６及び図１７を用いて、開始フレームを正しく受信することができない例を説明する。
【００１８】
図１６は、無線端末ＷＴ９３が開始フレームを正しく受信できない例を示したタイムチャートである。同図において、横軸は時間を示している。ここでは、図１４に示した例と同様に、基地局装置ＡＰ９と無線端末ＷＴ９１〜ＷＴ９３とが通信局としてあり、基地局装置ＡＰ９が無線端末ＷＴ９１〜ＷＴ９３宛のデータを収容し、無線端末ＷＴ９１〜ＷＴ９３宛のデータフレームを同一ＴＸＯＰ内で送信する例を示している。ただし、無線端末ＷＴ９３は隣接するセルの通信局（干渉局）から干渉を時刻ｔ９５４まで受け、基地局装置ＡＰ９からの信号を正しく受信できない場合について説明する。
【００１９】
まず、基地局装置ＡＰ９は、無線端末ＷＴ９１〜ＷＴ９３宛のデータが生起するとＣＳＭＡ／ＣＡを実施し、所定のセンシング期間及びランダム・バックオフ時間に亘って他の通信局から送信された信号が検出されないことを確認して送信権を取得する。基地局装置ＡＰ９は送信権を取得したために送信権取得通信局になり、フレームの送信を行う。基地局装置ＡＰ９は無線端末ＷＴ９１宛に開始フレームとしてのＲＴＳフレームを送信する（時刻ｔ９５１）。
このとき、無線端末ＷＴ９２は、基地局装置ＡＰ９からＲＴＳフレームを受信すると、ＲＴＳフレームの宛先が自局でないため、ＲＴＳフレーム内に含まれる持続使用期間情報が示す期間をＮＡＶ期間に設定する。また、基地局装置ＡＰ９から開始フレームとしてのＲＴＳフレームを受信したことにより、ＴＸＯＰ期間が開始されたことを検出すると共に、基地局装置ＡＰ９が送信権取得通信局であることを記憶する。
無線端末ＷＴ９３は、干渉局から干渉を受けているため、基地局装置ＡＰ９からＲＴＳフレームを受信することができず、ＴＸＯＰ期間が開始されたこと、及び基地局装置ＡＰ９が送信権取得通信局であることを検出できない。
無線端末ＷＴ９１は、基地局装置ＡＰ９から自局宛のＲＴＳフレームを受信すると、基地局装置ＡＰ９が送信権取得通信局であることを記憶し、ＣＴＳフレームを返信する（時刻ｔ９５２）。
【００２０】
基地局装置ＡＰ９は、無線端末ＷＴ９１からＣＴＳフレームを受信すると、無線端末ＷＴ９１宛のデータフレームを送信する（時刻ｔ９５３）。
無線端末ＷＴ９１は、自局宛のデータフレームを正しく受信すると、基地局装置ＡＰ９に対してＢＡフレーム（又はＡＣＫフレーム）を返信し（時刻ｔ９５４）、フレームの送受信を終える。このとき、無線端末ＷＴ９３は、隣接するセルから干渉を受けなくなった後に、無線端末ＷＴ９１が送信したＢＡフレーム（又はＡＣＫフレーム）を受信し、受信したフレームに含まれる持続使用期間情報が示す期間をＮＡＶ期間に設定する。
【００２１】
次に、基地局装置ＡＰ９は、無線端末ＷＴ９２宛のデータを送信するため、宛先を無線端末ＷＴ９２としたＲＴＳフレームを送信する（時刻ｔ９５５）。ここで、無線端末ＷＴ９２は、送信権取得通信局である基地局装置ＡＰ９からＲＴＳフレームを受信したため、ＮＡＶ期間内であるか否かに関わらず、送信権取得通信局宛にＣＴＳフレームを返信する（時刻ｔ９５６）。
無線端末ＷＴ９１及び無線端末ＷＴ９３は、自局宛ではないＲＴＳフレームを受信したため、ＮＡＶ期間を設定する。既にＮＡＶ期間が設定されている場合は、ＮＡＶ値を更新する。
基地局装置ＡＰ９は、無線端末ＷＴ９２からＣＴＳフレームを正しく受信すると、無線端末ＷＴ９２宛のデータフレームを送信する（時刻ｔ９５７）。
無線端末ＷＴ９２は、基地局装置ＡＰ９からデータフレームを正しく受信すると、基地局装置ＡＰ９に対して、ＢＡフレーム（又はＡＣＫフレーム）を返信し（時刻ｔ９５８）、フレームの送受信を終える。
【００２２】
次に、基地局装置ＡＰ９は、無線端末ＷＴ９３宛のデータを送信するため、宛先を無線端末ＷＴ９３としたＲＴＳフレームを送信する（時刻ｔ９５９）。
無線端末ＷＴ９３は、送信権取得通信局がいずれの通信局であるかを記憶していないため、受信したＲＴＳフレームが送信権取得通信局から送信されたＲＴＳフレームであるか否かの判定をすることができず、ＮＡＶ期間を設定してしまう。
基地局装置ＡＰ９は、無線端末ＷＴ９３からの返信としてのＣＴＳフレームを受信することができず、タイムアウト後に無線端末ＷＴ９３宛のＲＴＳフレームを再送することになる。
【００２３】
図１７は、図１６と同様に、無線端末ＷＴ９３が開始フレームを正しく受信できない例を示したタイムチャートである。図１７に示す例においても、無線端末ＷＴ９３は隣接するセルの通信局（干渉局）から干渉を時刻ｔ９７４まで受け、基地局装置ＡＰ９からの信号を正しく受信できない場合について説明する。
まず、基地局装置ＡＰ９は、無線端末ＷＴ９１〜ＷＴ９３宛のデータが生起するとＣＳＭＡ／ＣＡを実施し、所定のセンシング期間及びランダム・バックオフ時間に亘って他の通信局からの送信された信号が検出されないことを確認してアクセス権を取得する。基地局装置ＡＰ９はアクセス権を取得したために送信権取得通信極となり、フレームの送信を行う。基地局装置ＡＰ９は無線端末ＷＴ９１宛に開始フレームとしてのＲＴＳフレームを送信する（時刻ｔ９７１）。
このとき、無線端末ＷＴ９２は、基地局装置ＡＰ９からＲＴＳフレームを受信すると、ＲＴＳフレームの宛先が自局でないため、ＲＴＳフレーム内に含まれる持続使用期間情報が示す期間をＮＡＶ期間に設定する。また、基地局装置ＡＰ９から開始フレームとしてのＲＴＳフレームを受信したことにより、ＴＸＯＰ期間が開始されたことを検出すると共に、基地局装置ＡＰ９が送信権取得通信局であることを記憶する。
無線端末ＷＴ９３は、干渉局から干渉を受けているため、基地局装置ＡＰ９からＲＴＳフレームを受信することができず、ＴＸＯＰ期間が開始されたこと、及び基地局装置ＡＰ９が送信権取得通信局であることを検出できない。
無線端末ＷＴ９１は、基地局装置ＡＰ９から自局宛のＲＴＳフレームを受信すると、基地局装置ＡＰ９が送信権取得通信局であることを記憶し、ＣＴＳフレームを送信する（時刻ｔ９７２）。
【００２４】
基地局装置ＡＰ９は、無線端末ＷＴ９１からＣＴＳフレームを受信すると、無線端末ＷＴ９１宛にデータフレームを送信する（時刻ｔ９７３）。このとき、基地局装置ＡＰ９は、データフレームに含まれるＭＡＣヘッダ内のＲＤＧフィールドに「１」を設定することにより、ＲＤでの送信が可能であることを無線端末ＷＴ９１に通知する。
無線端末ＷＴ９１は、ＲＤＧフィールドに「１」が設定されたＭＡＣヘッダを含むデータフレームを受信すると、ＲＤＧフィールドが「１」であることから、基地局装置ＡＰ９宛にデータを送信可能であることを検出し、ＲＤＧフィールドに「１」を設定したＢＡフレームを返信する（時刻ｔ９７４）。これにより、無線端末ＷＴ９１は、ＲＤにより送信するデータがあることを基地局装置ＡＰ９に通知する。
そして、無線端末ＷＴ９１は、ＳＩＦＳの後に基地局装置ＡＰ９宛に出たフレームを送信する（時刻ｔ９７５）。なお、無線端末ＷＴ９１は、送信するデータフレームに含まれるＲＤＧフィールドに「０」を設定することで、送信する最後のフレームであることを、送信権取得通信局である基地局装置ＡＰ９に通知する。これをもって基地局装置ＡＰ９が無線端末ＷＴ９１にＢＡフレーム（又はＡＣＫフレーム）を返信し（時刻ｔ９７６）、無線端末ＷＴ９１との通信を終える。
【００２５】
次に、基地局装置ＡＰ９は、無線端末ＷＴ９３宛のデータを送信するため、宛先を無線端末ＷＴ９３としたＲＴＳフレームを送信する（時刻ｔ９７７）。
無線端末ＷＴ９３は、送信権取得通信局がいずれの通信局であるかを記憶していないため、受信したＲＴＳフレームが送信権取得通信局から送信されたＲＴＳフレームであるか否かの判定をすることができず、ＮＡＶ期間を設定してしまう。
基地局装置ＡＰ９は、無線端末ＷＴ９３からの応答としてのＣＴＳフレームを受信することができず、タイムアウト後に無線端末ＷＴ９３宛のＲＴＳフレームを再送することになる。
【００２６】
図１６及び図１７にて示したように、通信局が隣接するセルなどから干渉を受けている間に開始フレーム（例えば、ＲＴＳフレーム）が送信されてしまうと、当該通信局はいずれの通信局が送信権取得通信局であるかを検出できない場合がある。このような場合、通信局は送信権取得通信局からの要求に応答せず、再送処理が行われ通信のスループットが低下してしまうという問題があった。
【００２７】
本発明は、このような状況に鑑みて成されたものであり、無線通信のスループットを改善させる無線通信装置、及び無線通信方法を提供することを目的とする。
【課題を解決するための手段】
【００２８】
上記問題を解決するために、本発明は、同一の周波数帯域を用いて互いに無線通信を行う複数の無線通信装置であって、キャリアセンスによりチャネルが空き状態であることを検出すると所定の期間に亘ってチャネルを利用することを示す開始フレームを生成する開始フレーム生成部と、前記開始フレームを生成した後、前記期間内において送信される全てのフレームに対して自装置が前記期間に亘ってチャネルを利用する権利を有する送信権取得通信局であることを示す通知情報を含める通知情報生成部と、前記開始フレーム及び前記通知情報を含むフレームを送信する無線通信部と、を備えることを特徴とする無線通信装置である。
また、本発明は、同一の周波数帯域を用いて互いに無線通信を行う複数の無線通信装置であって、キャリアセンスによりチャネルが空き状態であることを検出すると所定の期間に亘ってチャネルを利用することを示す開始フレームを生成する開始フレーム生成部と、前記開始フレームを生成した後、前記期間内において送信されるフレームのうち当該フレームの宛先に対して最初に送信するフレームとして自装置が前記期間に亘ってチャネルを利用する権利を有する送信権取得通信局であることを示す通知情報を含むフレームを生成する通知情報生成部と、前記開始フレーム及び前記通知情報を含むフレームを送信する無線通信部と、を備えることを特徴とする無線通信装置である。
【００２９】
また、本発明は、上記に記載の発明において、前記通知情報生成部は、前記通知情報をフレームに含まれる制御情報の一部として生成し、自装置が前記送信権取得通信局でない場合、受信したフレームに前記通知情報を検出すると、受信したフレームの送信元の無線通信装置が前記送信権取得通信局であると判定する送信権取得通信局判定部を更に備えることを特徴とする。
【００３０】
また、本発明は、上記に記載の発明において、前記通知情報生成部は、フレームの宛先の無線通信装置を変更する都度、前記通知情報を含むフレームを生成し、自装置が前記送信権取得通信局でない場合に前記フレームを受信すると、受信した前記フレームの送信元の無線通信装置が前記送信権取得通信局であると判定する送信権取得通信局判定部を更に備えることを特徴とする。
【００３１】
また、上記問題を解決するために、本発明は、同一の周波数帯域を用いて互いに無線通信を行う複数の無線通信装置における無線通信方法であって、キャリアセンスによりチャネルが空き状態であることを検出すると所定の期間に亘ってチャネルを利用することを示す開始フレームを生成するステップと、前記開始フレームを生成した後、前記期間内において送信される全てのフレームに対して自装置が前記期間に亘ってチャネルを利用する権利を有する送信権取得通信局であることを示す通知情報を含めるステップと、前記開始フレーム及び前記通知情報を含むフレームを送信するステップとを有することを特徴とする無線通信方法である。
また、本発明は、同一の周波数帯域を用いて互いに無線通信を行う複数の無線通信装置における無線通信方法であって、キャリアセンスによりチャネルが空き状態であることを検出すると所定の期間に亘ってチャネルを利用することを示す開始フレームを生成するステップと、前記開始フレームを生成した後、前記期間内において送信されるフレームのうち当該フレームの宛先に対して最初に送信するフレームとして自装置が前記期間に亘ってチャネルを利用する権利を有する送信権取得通信局であることを示す通知情報を含むフレームを生成するステップと、前記開始フレーム及び前記通知情報を含むフレームを送信するステップとを有することを特徴とする無線通信方法である。
【発明の効果】
【００３２】
この発明によれば、送信権取得通信局となった無線通信装置は、開始フレームを生成した後も、自装置が送信権取得通信局であることを示す通知情報を生成する。これにより、干渉等の影響により開始フレームを正しく受信できない場合においても、通知情報を受信することで、送信権取得通信局となった無線通信装置を把握することができ、送信権取得通信局からの要求に応答せずに再送処理が行われてしまうことを抑制することができる。その結果、無線通信システムにおいて再送処理の発生を抑えて、スループットを改善させることができる。
【図面の簡単な説明】
【００３３】
【図１】第１の実施形態における無線通信システムの構成例を示す概略図である。
【図２】同実施形態における無線通信装置（基地局装置ＡＰ及び無線端末ＷＴ）の構成を示す概略ブロック図である。
【図３】同実施形態における無線通信装置が送信するフレームの構成を示す図である。
【図４】同実施形態における無線通信装置の送信処理を示すフローチャートである。
【図５】同実施形態における無線通信装置の受信処理を示すフローチャートである。
【図６】制御フレームに含まれるＭＡＣヘッダ内に送信権取得通信局フィールドを設ける場合の割り当て例を示す図である。
【図７】ＨＴ−Ｄａｔａフレームに送信権取得通信局フィールドを設ける場合の割り当て例を示す図である。
【図８】ＶＨＴ−Ｄａｔａフレームに送信権取得通信局フィールドを設ける場合の割り当て例を示す図である。
【図９】同実施形態における送信権取得通信局が他の通信装置宛にデータフレームを複数送信するタイミングの例を示したタイムチャートである。
【図１０】同実施形態においてＩＥＥＥ８０２．１１ｎのＲＤプロトコルを用いた双方向のデータ送受信が行われる際のフレームの例を示したタイムチャートである。
【図１１】第２の実施形態における無線通信装置の送信処理を示すフローチャートである。
【図１２】同実施形態における無線通信装置の受信処理を示すフローチャートである。
【図１３】同実施形態における送信権取得通信局が他の通信装置宛にデータフレームを複数送信するタイミングの例を示したタイムチャートである。
【図１４】送信権取得通信局がＴＸＯＰ内において他の通信局宛にデータフレームを複数送信する際に、フレームを送信するタイミングの例を示したタイムチャートである。
【図１５】ＩＥＥＥ８０２．１１ｎにおけるＲＤプロトコルを適用し、双方向にデータの送受信が行われる際のフレームの例を示したタイムチャートである。
【図１６】無線端末が開始フレームを正しく受信できない例を示した第１のタイムチャートである。
【図１７】無線端末が開始フレームを正しく受信できない例を示した第２のタイムチャートである。
【発明を実施するための形態】
【００３４】
（本発明の概略）
本発明の特徴は、送信権取得通信局となった無線通信装置は、開始フレームを生成した後も、自装置が送信権取得通信局であることを示す通知情報を生成して送信する点にある。以下、図面を参照して、本発明の実施形態における通信局装置、及び無線通信方法を説明する。
【００３５】
（第１の実施形態）
図１は、第１の実施形態における無線通信システムの構成例を示す概略図である。同図に示す例では、無線通信システムは２つのセルＡ及びセルＢを具備している。各セルは、無線通信装置としての基地局装置と無線端末とを備えている。基地局装置及び無線通信端末は予め定められた同一の周波数帯域を用いて互いに無線通信を行う。セルＡは、１台の基地局装置ＡＰ１と、３台の無線端末ＷＴ１１〜ＷＴ１３とを有している。セルＢは、１台の基地局装置ＡＰ２と、１台の無線端末ＷＴ２１とを有している。セルＡ及びセルＢは、同一の周波数帯を使ってデータの送受信を行う。以下、セルＡに着目して説明を行う。セルＢが有する基地局装置ＡＰ２及び無線端末ＷＴ２１がセルＡに対する干渉局である場合について説明する。以下、基地局装置ＡＰ１と基地局装置ＡＰ２とのいずれか一方、あるいは両方を示すとき基地局装置ＡＰという。また、無線端末ＷＴ１１〜ＷＴ１３及び無線端末ＷＴ２１のいずれか一つ、あるいは全てを示すとき無線端末ＷＴという。
なお、本実施形態では、無線通信システムが２つのセルを具備する場合について説明するが、３つ以上のセルを有していてもよい。
【００３６】
図２は、本実施形態における無線通信装置（基地局装置ＡＰ及び無線端末ＷＴ）の構成を示す概略ブロック図である。同図に示すように無線通信装置は、無線通信部１と、送信権獲得部２と、送信権管理部３と、制御部４とを備えている。
無線通信部１は、予め定められた周波数帯を用いて他の無線通信装置（基地局装置ＡＰ及び無線端末ＷＴ）とフレームの送受信を行う。送信権獲得部２は、自装置において、他の無線通信装置に送信すべきデータが生起すると、制御部４に対して送信権（ＴＸＯＰ）の獲得を要求する。送信権管理部３は、現在の送信権取得通信局がいずれの通信装置であるかを検出し、検出した送信権取得通信局を示す情報を記憶する。制御部４は、送信権獲得部２からの要求や、送信権管理部３が記憶している送信権取得通信局を示す情報に基づいて、無線通信部１が行うフレームの送受信を制御する。
【００３７】
図３は、本実施形態における無線通信装置（基地局装置ＡＰ及び無線端末ＷＴ）が送信するフレームの構成を示す図である。同図に示すように、本実施形態におけるフレームは、制御情報としてのＭＡＣヘッダと、ペイロードとしてのフレームボディ（Frame Body）と、誤り検出用の情報としてのＦＣＳ（Frame Check Sequence：フレーム検査列）とを含み構成されている。ＭＡＣヘッダには、標準規格で定められている情報に加えて、送信権取得通信局を示す通知情報として１ビットの「ＴＸＯＰ＿ｈｏｌｄｅｒ」フィールド（送信権取得通信局フィールド）が設けられている。送信権取得通信局となった無線通信装置は、自装置が送信権を獲得したＴＸＯＰ期間内で送信する全てのフレームにおいて、送信権取得通信局フィールドに「１」を設定する。
基地局装置ＡＰ及び無線端末ＷＴは、受信したフレームにおけるＭＡＣヘッダ内の送信権取得通信局フィールドの値を参照し、当該値が「１」である場合、受信したフレームの送信元の無線通信装置が送信権取得通信局であると識別する。
【００３８】
図４は、本実施形態における無線通信装置（基地局装置ＡＰ及び無線端末ＷＴ）の送信処理を示すフローチャートである。
無線通信装置において、他の無線通信装置に送信すべきデータが生起すると、送信権獲得部２が送信権の獲得を制御部４に要求し、制御部４が無線通信部１を介して所定のセンシング期間及びランダム・バックオフ時間に亘って他の無線通信装置から送信された信号が検出されず、空き状態であることを確認して送信権を獲得する。また、制御部４は、自装置が送信権取得通信局であることを送信権管理部３に記憶させる（ステップＳ１０１）。
制御部４は、送信すべきデータを含むフレームに対して宛先の無線通信装置から返信が必要か否かを判定し（ステップＳ１０２）、返信が不要の場合（ステップＳ１０２：ＮＯ）、ステップＳ１０６に処理を進める。一方、返信が必要の場合（ステップＳ１０２：ＹＥＳ）、制御部４は、自装置が送信権取得通信局であるか否かを判定する（ステップＳ１０３）。
制御部４は、自装置が送信権取得通信局である場合（ステップＳ１０３：ＹＥＳ）、送信するフレームに含まれるＭＡＣヘッダ内の送信権取得通信局フィールドに「１」を設定する（ステップＳ１０４）。一方、自装置が送信権取得通信局でない場合（ステップＳ１０３：ＮＯ）、制御部４は、送信するフレームに含まれるＭＡＣヘッダ内の送信権取得通信局フィールドに「０」を設定する（ステップＳ１０５）。
制御部４は、ＭＡＣヘッダ、送信すべきデータ、及びフレーム検査列（ＦＣＳ）からフレームを生成し、生成したフレームを無線通信部１を介して送信する（ステップＳ１０６）。
なお、宛先の無線通信装置からの返信が不要である場合には、送信権取得通信局フィールドに「０」を設定しておくようにしてもよい。
【００３９】
図５は、本実施形態における無線通信装置（基地局装置ＡＰ及び無線端末ＷＴ）の受信処理を示すフローチャートである。
無線通信装置において、他の無線通信装置からフレームを無線通信部１が正しく受信すると、制御部４は、受信したフレームに含まれるＭＡＣヘッダ内の送信権取得通信局フィールドの値が「１」であるか否かを判定し（ステップＳ２０１）、値が「０」の場合（ステップＳ２０１：ＮＯ）、処理をステップＳ２０３に進める。一方、値が「１」の場合（ステップＳ２０１：ＹＥＳ）、制御部４は、受信したフレームの送信元が送信権取得通信局であることを送信権管理部３に記憶させる（ステップＳ２０２）。
制御部４は、受信したフレームに対して必要なプロセスを実行し（ステップＳ２０３）、受信処理を終了させる。
ここで、受信したフレームに対して必要なプロセスとは、例えば、ＢＡフレーム（又はＡＣＫフレーム）などを返信する処理や、受信したフレームに含まれるデータに誤りがあるか否かの判定、及び判定結果に応じて再送を要求する処理などである。
【００４０】
図６は、制御フレーム（Control frame）に含まれるＭＡＣヘッダ内に送信権取得通信局フィールド（TXOP_holder）を設ける場合の割り当て例を示す図である。制御フレームに送信権取得通信局フィールドを設ける場合、例えば、ＭＡＣヘッダ内のＦｒａｍｅＣｔｏｎｒｏｌフィールドの１０ビット目（Ｂ１０）に送信権取得通信局フィールドを割り当てる。現状の標準規格において、ＲＴＳフレーム、ＣＴＳフレーム、ＢＡＲフレーム、ＢＡフレーム、ＡＣＫフレーム、ＣＦ−ＥＮＤフレームなどの制御フレームでは、「Ｍｏｒｅ  Ｆｒａｇｍｅｎｔｓ」フィールドに「０」が設定される。そこで、この「Ｍｏｒｅ  Ｆｒａｇｍｅｎｔｓ」フィールドを、「Ｍｏｒｅ  Ｆｒａｇｍｅｎｔｓ」フィールド、又は送信権取得通信局フィールドとして再定義することにより、制御フレームを受信した際に送信権取得通信局を識別できるようにする。
なお、１０ビット目のフィールドの使い分けは、フレームが制御フレームの場合に送信権取得通信局フィールドとして扱い、フレームがデータフレーム又はマネジメントフレームである場合に「Ｍｏｒｅ  Ｆｒａｇｍｅｎｔｓ」フィールドとして扱う。
【００４１】
図７は、ＨＴ−Ｄａｔａフレームに送信権取得通信局フィールド（TXOP_holder）を設ける場合の割り当て例を示す図である。ＨＴ−Ｄａｔａフレームに送信権取得通信局フィールドを設ける場合、ＭＡＣヘッダ内の４オクテット（３２ビット）の「ＨＴ  Ｃｏｎｔｒｏｌ」において、２５ビット目から２９ビット目の予約領域（Reserved）のいずれか１ビットを送信権取得通信局フィールドに割り当てる。図７においては、２９ビット目に送信権取得通信局フィールドを割り当てる例を示している。
図８は、ＶＨＴ−Ｄａｔａフレームに送信権取得通信局フィールド（TXOP_holder）を設ける場合の割り当て例を示す図である。ＶＨＴ−Ｄａｔａフレームに送信権取得通信局フィールドを割り当てる場合、ＭＡＣヘッダ内の４オクテットの「ＨＴ  Ｃｏｎｔｒｏｌ」において、２ビット目の予約領域（Reserved）に送信権取得通信局フィールドを割り当てる。
このように、標準規格で定義されているフレームに送信権取得通信局フィールド（TXOP holder）を設けることができる。
【００４２】
以下、図１に示したセルＡにおいて、無線端末ＷＴ１３が隣接するセルＢから干渉を受けている場合におけるセルＡの通信動作を示すフレーム・シーケンスを説明する。ここでは、セルＡにおいて、基地局装置ＡＰ１が無線端末ＷＴ１１〜ＷＴ１３宛のデータを収容し、無線端末ＷＴ１１〜ＷＴ１３宛のデータフレームを同一ＴＸＯＰ期間内で送信する例を示す。また、基地局装置ＡＰ１が開始フレームとしてのＲＴＳフレームを送信するときに、無線端末ＷＴ１３が干渉を受けており、基地局装置ＡＰ１と無線端末ＷＴ１１とが通信をしている間に、無線端末ＷＴ１３が干渉を受けなくなる例を示す。
【００４３】
図９は、本実施形態における送信権取得通信局（基地局装置ＡＰ１）が他の通信装置宛にデータフレームを複数送信するタイミングの例を示したタイムチャートである。同図において、横軸は時間を示している。
まず、基地局装置ＡＰ１は、無線端末ＷＴ１１〜ＷＴ１３宛のデータが生起するとＣＳＭＡ／ＣＡ（キャリアセンス）を実施し、所定のセンシング期間及びランダム・バックオフ期間に亘って他の無線通信装置（無線端末ＷＴ１１〜ＷＴ１３）から送信された信号が検出されないことを確認して送信権（ＴＸＯＰ）を取得する。基地局装置ＡＰ１は送信権を取得したために送信権取得通信局になり、フレームの送信を行う。基地局装置ＡＰ１は無線端末ＷＴ１１宛に開始フレームとしてのＲＴＳフレームを送信する（時刻ｔ１０１）。ここで、基地局装置ＡＰ１は、送信するＲＴＳフレームに含まれるＭＡＣヘッダ内の送信権取得通信局フィールドに「１」を設定する。また、開始フレームとして送信されたＲＴＳフレームには持続使用期間情報が含まれており、当該持続使用期間情報により示される期間においてチャネルを利用する権利を取得したことが他の無線通信装置に通知される。
ことのとき、無線端末ＷＴ１２は、基地局装置ＡＰ１からＲＴＳフレームを受信すると、受信したＲＴＳフレームに含まれるＭＡＣヘッダ内の送信権取得通信局フィールドに「１」が設定されていることを検出し、ＲＴＳフレームの送信元である基地局装置ＡＰ１が送信権取得通信局であることを送信権管理部３に記録する。また、無線端末ＷＴ１２は、自装置内にＮＡＶ期間が設定されていないときに、自装置宛でないＲＴＳフレームを受信したことにより、受信したＲＴＳフレーム内に含まれる持続使用期間情報が示す期間をＮＡＶ期間に設定し、該当するＮＡＶ期間においてフレームの送信を行わないようにする。また、無線端末ＷＴ１２は、開始フレームとしてのＲＴＳフレームを受信したことにより、ＴＸＯＰ期間が開始されたことを検出する。
【００４４】
無線端末ＷＴ１３は、干渉局から干渉を受けているため、基地局装置ＡＰ１からＲＴＳフレームを受信することができず、ＴＸＯＰ期間が開始されたこと、及び基地局装置ＡＰ１が送信権取得通信局であることを検出できない。
無線端末ＷＴ１１は、基地局装置ＡＰ１からＲＴＳフレームを受信すると、受信したＲＴＳフレームに含まれるＭＡＣヘッダ内の送信権取得通信局フィールドに「１」が設定されていることを検出し、ＲＴＳフレームの送信元である基地局装置ＡＰ１が送信権取得通信局であることを送信権管理部３に記録する。また、無線端末ＷＴ１１は、受信したＲＴＳフレームの宛先が自装置であることを検出し、ＣＴＳフレームを基地局装置ＡＰ１に返信する（時刻ｔ１０２）。
基地局装置ＡＰ１は、無線端末ＷＴ１１からＣＴＳフレームを受信すると、無線端末ＷＴ１１宛のデータフレームを送信する（時刻ｔ１０３）。このデータフレームにおいて、ＭＡＣヘッダ内の送信権取得通信局フィールドには「１」が設定される。基地局装置ＡＰ１が無線端末ＷＴ１１宛のデータフレームを送信している間に、無線端末ＷＴ１３が干渉を受けなくなる。
無線端末ＷＴ１１は、基地局装置ＡＰ１から自装置宛のデータフレームを正しく受信すると、基地局装置ＡＰ１に対してＢＡフレーム（又はＡＣＫフレーム）を送信し（時刻ｔ１０４）、フレームの送受信を終える。このとき、無線端末ＷＴ１３は、無線端末ＷＴ１１が送信したＢＡフレーム（又はＡＣＫフレーム）を受信し、受信したフレームに含まれる持続使用期間情報が示す期間をＮＡＶ期間に設定する。
【００４５】
次に、基地局装置ＡＰ１は、無線端末ＷＴ１２宛のデータを送信するため、宛先を無線端末ＷＴ１２としてＲＴＳフレームを送信する（時刻ｔ１０５）。ここで、基地局装置ＡＰ１は、送信するＲＴＳフレームに含まれるＭＡＣヘッダ内の送信権取得通信局フィールドに「１」を設定する。
このとき、無線端末ＷＴ１１及び無線端末ＷＴ１３は、受信したＲＴＳフレームに含まれるＭＡＣヘッダ内の送信権取得通信局フィールドに「１」が設定されていることを検出し、ＲＴＳフレームの送信元である基地局装置ＡＰ１が送信権取得通信局であることを送信権管理部３に記録する。また、無線端末ＷＴ１１及び無線端末ＷＴ１３は、受信したＲＴＳフレーム内に含まれる持続使用期間情報が示す期間をＮＡＶ期間に設定する。
無線端末ＷＴ１２は、受信したＲＴＳフレームの宛先が自装置であることを検出し、ＲＴＳフレームの送信元と送信権管理部３に記憶されている送信権取得通信局とが一致していることを検出する。この検出結果に基づいて、無線端末ＷＴ１２は、ＮＡＶ期間であるか否かに関わらず、ＣＴＳフレームを基地局装置ＡＰ１に返信する（時刻ｔ１０６）。
基地局装置ＡＰ１は、無線端末ＷＴ１２からＣＴＳフレームを正しく受信すると、無線端末ＷＴ１２宛のデータフレームを送信する（時刻ｔ１０７）。
無線端末ＷＴ１２は、基地局装置ＡＰ１からデータフレームを正しく受信すると、基地局装置ＡＰ１に対して、ＢＡフレーム（又はＡＣＫフレーム）を返信し（時刻ｔ１０８）、フレームの送受信を終える。
【００４６】
次に、基地局装置ＡＰ１は、無線端末ＷＴ１３宛のデータを送信するため、宛先無線端末ＷＴ１３としたＲＴＳフレームを送信する（時刻ｔ１０９）。ここで、基地局装置ＡＰ１は、時刻ｔ１０１及び時刻ｔ１０５において送信したＲＴＳフレームと同様に、送信するＲＴＳフレームに含まれるＭＡＣヘッダ内の送信権取得通信局フィールドに「１」を設定する。
このとき、無線端末ＷＴ１１及び無線端末ＷＴ１２は、受信したＲＴＳフレームに含まれるＭＡＣヘッダ内の送信権取得通信局フィールドに「１」が設定されていることを検出し、ＲＴＳフレームの送信元である基地局装置ＡＰ１が送信権取得通信局であることを送信権管理部３に記録する。また、無線端末ＷＴ１１及び無線端末ＷＴ１２は、受信したＲＴＳフレーム内に含まれる持続使用期間情報が示す期間をＮＡＶ期間に設定する。
無線端末ＷＴ１３は、受信したＲＴＳフレームの宛先が自装置であることを検出し、ＲＴＳフレームの送信元と送信権管理部３に記憶されている送信権取得通信局とが一致していることを検出する。この検出結果に基づいて、無線端末ＷＴ１３は、ＮＡＶ期間であるか否かに関わらす、ＣＴＳフレームを基地局装置ＡＰ１に返信する（時刻ｔ１１０）。
基地局装置ＡＰ１は、無線端末ＷＴ１３からＣＴＳフレームを正しく受信すると、無線端末ＷＴ１３宛のデータフレームを送信する（時刻ｔ１１１）。
無線端末ＷＴ１３は、基地局装置ＡＰ１からデータフレームを正しく受信すると、基地局装置ＡＰ１に対して、ＢＡフレーム（又はＡＣＫフレーム）を返信し（時刻ｔ１１２）、フレームの送受信を終える。
【００４７】
図１０は、本実施形態においてＩＥＥＥ８０２．１１ｎのＲＤプロトコルを用いた双方向のデータ送受信が行われる際のフレームの例を示したタイムチャートである。同図において、横軸は時間を示している。ここでは、基地局装置ＡＰ１が無線端末ＷＴ９１及び無線端末ＷＴ１３とデータの送受信をお互いに行う例を示している。
基地局装置ＡＰ１は、無線端末ＷＴ１１、ＷＴ１３宛のデータが生起するとＣＳＭＡ／ＣＡを実施し、所定のセンシング期間及びランダム・バックオフ期間に亘って他の通信装置から送信された信号が検出されないことを確認して送信権を取得する。基地局装置ＡＰ１は送信権を取得したために送信権取得通信局になり、フレームの送信を行う。基地局装置ＡＰ１は無線端末ＷＴ１１宛に開始フレームとしてのＲＴＳフレームを送信する（時刻ｔ１２１）。ここで、基地局装置ＡＰ１は、送信するＲＴＳフレームに含まれるＭＡＣヘッダ内の送信権取得通信局フィールドに「１」を設定する。
ことのとき、無線端末ＷＴ１２は、基地局装置ＡＰ１から自装置宛てでないＲＴＳフレームを受信すると、受信したＲＴＳフレームに含まれるＭＡＣヘッダ内の送信権取得通信局フィールドに「１」が設定されていることを検出し、ＲＴＳフレームの送信元である基地局装置ＡＰ１が送信権取得通信局であることを送信権管理部３に記録する。また、無線端末ＷＴ１２は、受信したＲＴＳフレーム内に含まれる持続使用期間情報が示す期間をＮＡＶ期間に設定し、該当するＮＡＶ期間においてフレームの送信を行わないようにする。また、無線端末ＷＴ１２は、開始フレームとしてのＲＴＳフレームを受信したことにより、ＴＸＯＰ期間が開始されたことを検出する。
【００４８】
無線端末ＷＴ１３は、干渉局から干渉を受けているため、基地局装置ＡＰ１からＲＴＳフレームを受信することができず、ＴＸＯＰ期間が開始されたこと、及び基地局装置ＡＰ１が送信権取得通信局であることを検出できない。
無線端末ＷＴ１１は、基地局装置ＡＰ１からＲＴＳフレームを受信すると、受信したＲＴＳフレームに含まれるＭＡＣヘッダ内の送信権取得通信局フィールドに「１」が設定されていることを検出し、ＲＴＳフレームの送信元である基地局装置ＡＰ１が送信権取得通信局であることを送信権管理部３に記録する。また、無線端末ＷＴ１１は、受信したＲＴＳフレームの宛先が自装置であることを検出し、ＣＴＳフレームを基地局装置ＡＰ１に返信する（時刻ｔ１２２）。
【００４９】
基地局装置ＡＰ１は、無線端末ＷＴ１１からＣＴＳフレームを受信すると、無線端末ＷＴ１１宛にデータフレームを送信する（時刻ｔ１２３）。このとき、基地局装置ＡＰ１は、データフレームに含まれるＭＡＣヘッダ内のＲＤＧフィールドに「１」を設定することにより、ＲＤ（逆方向）での送信が可能であることを無線端末ＷＴ１１に通知する。
無線端末ＷＴ１１は、ＲＤＧフィールドに「１」が設定されたＭＡＣヘッダを含むデータフレームを基地局装置ＡＰ１から受信すると、基地局装置ＡＰ１宛にデータを送信可能であることを検出し、ＭＡＣヘッダ内のＲＤＧフィールドに「１」を設定したＢＡフレーム（又はＡＣＫフレーム）を基地局装置ＡＰ１に返信する（時刻ｔ１２４）。これにより、無線端末ＷＴ１１は、ＲＤにより送信するデータがあることを基地局装置ＡＰ１に通知する。
【００５０】
そして、無線端末ＷＴ１１は、ＳＩＦＳの後に基地局装置ＡＰ１宛にデータフレームを送信する（時刻ｔ１２５）。なお、無線端末ＷＴ１１は、送信するデータフレームのＲＤＧフィールドに「０」を設定することで、送信する最後のデータフレームであることを、送信権取得通信局である基地局装置ＡＰ１に通知する。このとき、無線端末ＷＴ１３は、無線端末ＷＴ１１宛にデータフレームを受信し、受信したデータフレームのＭＡＣヘッダ内の送信権取得通信局フィールド（TXOP_Holder）に「１」が設定されていることを検出し、当該データフレームを送信した基地局装置ＡＰ１が送信検出通信局であると判定し、基地局装置ＡＰ１が送信権取得通信局であることを送信権管理部３に記録する。
基地局装置ＡＰ１は、無線端末ＷＴ１１からデータフレームを受信すると、無線端末ＷＴ１１にＢＡフレーム（又はＡＣＫフレーム）を返信し（時刻ｔ１２６）、無線端末ＷＴ１１との通信を終える。
【００５１】
次に、基地局装置ＡＰ１は、宛先を無線端末ＷＴ１３としたＲＴＳフレームを送信する（時刻ｔ１２７）。このとき、基地局装置ＡＰ１は、送信するＲＴＳフレームに含まれるＭＡＣヘッダ内の送信権取得通信局フィールドに「１」を設定する。
無線端末ＷＴ１１及び無線端末ＷＴ１２は、基地局装置ＡＰ１から受信したＲＴＳフレームに含まれるＭＡＣヘッダ内の送信権取得通信局フィールドに「１」が設定されていることを検出し、ＲＴＳフレームの送信元である基地局装置ＡＰ１が送信権取得通信局であることを送信権管理部３に記録する。また、無線端末ＷＴ１１及び無線端末ＷＴ１２は、受信したＲＴＳフレームが自装置宛てでないことを検出すると、受信したＲＴＳフレームに含まれる持続使用期間情報が示す期間をＮＡＶ期間に設定する。
無線端末ＷＴ１３は、基地局装置ＡＰ１から受信したＲＴＳフレームが自装置宛てであること、及び受信したＲＴＳフレームに含まれるＭＡＣヘッダ内の送信権取得通信局フィールドに「１」が設定されていることを検出すると、ＮＡＶ期間であるか否かに関わらず、ＣＴＳフレームを基地局装置ＡＰ１に送信する（時刻ｔ１２８）。
【００５２】
基地局装置ＡＰ１は、無線端末ＷＴ１３からＣＴＳフレームを受信すると、無線端末ＷＴ１３宛にデータフレームを送信する（時刻ｔ１２９）。このとき、基地局装置ＡＰ１は、データフレームに含まれるＭＡＣヘッダ内のＲＤＧフィールドに「１」を設定することにより、ＲＤでの送信が可能であることを無線端末ＷＴ１３に通知する。
無線端末ＷＴ１３は、ＭＡＣヘッダ内のＲＤＧフィールドに「１」が設定されている自装置宛てのデータフレームを基地局装置ＡＰ１から受信すると、ＲＤでデータを送信可能であることを検出し、ＤＡフレームと共にデータフレームを基地局装置ＡＰ１に送信する（時刻ｔ１３０）。このとき、無線端末ＷＴ１３は、データフレームに含まれるＭＡＣヘッダ内のＲＤＧフィールドに「０」を設定して、送信すべきデータがないことを通知する。
基地局装置ＡＰ１は、無線端末ＷＴ１３からＢＡフレーム及びデータフレームを受信すると、無線端末ＷＴ１３に対してＢＡフレームを返信し（時刻ｔ１３１）、無線端末ＷＴ１３との通信を終える。
【００５３】
図９及び図１０を用いて説明したように、各フレーム内に送信権取得通信局フィールドを設け、送信権取得通信局（TXOP Holder）となった無線通信装置は、送信権取得通信局フィールドに自装置が送信権取得通信局であることを示す情報を含むフレームを送信する。これにより、基地局装置ＡＰ１及び無線端末ＷＴ１１〜ＷＴ１３（無線通信装置）は、ＴＸＯＰ期間の開始を示す開始フレームを干渉等で受信できずに、送信権取得通信局を把握することができずとも、干渉を受けなくなった後に送信権取得通信局が送信したフレームを受信することにより、いずれの無線通信装置が送信権取得通信局であるかを検出することができる。
このように、開始フレームを正しく受信できずとも、送信権取得通信局がいずれの無線通信装置であるかを把握することができるので、送信権取得通信局からの要求に応答せずに再送処理が行われてしまうことを抑制することができる。その結果、無線通信システムにおいて再送処理の発生を抑えて、スループットを改善させることができる。
【００５４】
（第２の実施形態）
第２の実施形態では、フレームに含まれるＭＡＣヘッダ内に新たな情報（送信権取得通信局フィールド）を設けることなく、送信権取得通信局を通知する。具体的には、送信権取得通信局を通知する新たなフレーム（通知フレーム）を用いて、通信局装置に通知する。この通知フレームは、ＲＴＳフレームや、ＣＴＳフレーム、データフレームなどと異なるデータ構成を有している。すなわち、通知フレームの送信元アドレスと、当該フレームが送信権取得通信局により送信されたことを示す情報が含まれるフレームである。なお、無線通信装置（基地局装置ＡＰ１及び無線端末ＷＴ１１〜ＷＴ１３）の構成は、第１の実施形態と同じであるので、無線通信装置の構成の説明を省略する。
【００５５】
図１１は、第２の実施形態における無線通信装置（基地局装置ＡＰ及び無線端末ＷＴ）の送信処理を示すフローチャートである。
無線通信装置において、他の無線通信装置に送信すべきデータが生起すると、送信権獲得部２が送信権の獲得を制御部４に要求し、制御部４が無線通信部１を介して所定のセンシング期間及びランダム・バックオフ時間に亘って他の無線通信装置から送信された信号が検出されないことを確認して送信権を獲得する。また、制御部４は、自装置が送信権取得通信局であることを送信権管理部３に記憶させる（ステップＳ３０１）。
制御部４は、送信すべきデータを含むフレームに対して宛先の無線通信装置からの返信が必要であるか否かを判定し（ステップＳ３０２）、返信が不要の場合（ステップＳ３０２：ＮＯ）、処理をステップＳ３０６に進める。一方、返信が必要である場合（ステップＳ３０２：ＹＥＳ）、制御部４は、自装置が送信権取得通信局であるか否かを判定する（ステップＳ３０３）。
【００５６】
制御部４は、自装置が送信権取得通信局でない場合（ステップＳ３０２：ＮＯ）、処理をステップＳ３０６に進める。一方、自装置が送信権取得通信局である場合（ステップＳ３０２：ＹＥＳ）、制御部４は、これから送信するフレームが現在のＴＸＯＰ期間において最初のフレームの送信ではなく、かつこれから送信するフレームの宛先の無線通信装置に対する最初のフレームの送信であるか否かを判定する（ステップＳ３０４）。
制御部４は、これから送信するフレームがＴＸＯＰ期間において最初のフレームの送信ではなく、かつ当該フレームの宛先の無線通信装置に対する最初のフレームの送信である場合（ステップＳ３０４：ＹＥＳ）、自装置が送信権取得通信局であることを示す通知フレームを無線通信部１を介して送信する（ステップＳ３０５）。なお、通知フレームの宛先アドレスは、これから送信するフレームの宛先の無線通信装置であってもよく、ブロードキャストアドレスであってもよい。
一方、これから送信するフレームがＴＸＯＰ期間において最初のフレームの送信ではないか、又は当該フレームの宛先の無線通信装置に対する最初のフレームの送信でない場合（ステップＳ３０４：ＮＯ）、制御部４は、処理をステップＳ３０６に進める。
制御部４は、ＭＡＣヘッダ、送信すべきデータ、及びフレーム検査列（ＦＣＳ）からフレームを生成し、生成したフレームを無線通信部１を介して送信する（ステップＳ３０６）。
【００５７】
図１２は、本実施形態における無線通信装置（基地局装置ＡＰ及び無線端末ＷＴ）の受信処理を示すフローチャートである。
無線通信装置において、他の無線通信装置からフレームを無線通信部１が正しく受信すると、制御部４は、受信したフレームが通知フレームであるか否かを判定し（ステップＳ４０１）、受信したフレームが通知フレームでない場合（ステップＳ４０１：ＮＯ）、処理をステップＳ４０３に進める。一方、受信したフレームが通知フレームである場合（ステップＳ４０１：ＹＥＳ）、制御部４は、受信したフレームの送信元の無線通信装置が送信権取得通信局であることを送信権管理部３に記憶させる（ステップＳ４０２）。
制御部４は、受信したフレームに対して必要なプロセスを実行し（ステップＳ４０３）、受信処理を終了させる。
ここで、受信したフレーに対して必要なプロセスとは、第１の実施形態における受信処理（図５）と同様に、ＢＡフレーム（又はＡＣＫフレーム）などを返信する処理や、受信したフレームに含まれるデータに誤りがあるか否かの判定、及び判定結果に応じて再送を要求する処理などである。
【００５８】
図１３は、本実施形態における送信権取得通信局（基地局装置ＡＰ１）が他の通信装置宛にデータフレームを複数送信するタイミングの例を示したタイムチャートである。同図において、横軸は時間を示している。ここでは、基地局装置ＡＰ１が無線端末ＷＴ１１〜ＷＴ１３宛のデータを収容し、無線端末ＷＴ１１〜ＷＴ１３宛のデータフレームを同一ＴＸＯＰ期間内で送信する例を示す。また、基地局装置ＡＰ１が開始フレームとしてのＲＴＳフレームを送信するときに、無線端末ＷＴ１３が干渉を受けており、基地局装置ＡＰ１と無線端末ＷＴ１１とが通信をしている間に、無線端末ＷＴ１３が干渉を受けなくなる例を示す。
【００５９】
基地局装置ＡＰ１は、無線端末ＷＴ１１〜ＷＴ１３宛のデータが生起するとＣＳＭＡ／ＣＡを実施し、所定のセンシング期間及びランダム・バックオフ期間に亘って他の無線通信装置（無線端末ＷＴ１１〜ＷＴ１３）から送信された信号が検出されないことを確認して送信権（ＴＸＯＰを取得する。基地局装置ＡＰ１は、送信権を取得したため送信権取得通信局（TXOP Holder）になり、フレームの送信を行う。基地局装置ＡＰ１は無線端末ＷＴ１１宛に開始フレームとしてのＲＴＳフレームを送信する（時刻ｔ２０１）。
このとき、無線端末ＷＴ１２は、基地局装置ＡＰ１からＲＴＳフレームを受信すると、自装置内においてＮＡＶ期間が設定されていないため、基地局装置ＡＰ１を送信権取得通信局であると判定し、基地局装置ＡＰ１が送信権取得通信局であることを送信権管理部３に記録する。また、無線端末ＷＴ１２は、受信したＲＴＳフレームに含まれる持続使用期間情報が示す期間をＮＡＶ期間に設定する。無線端末ＷＴ１３は、干渉を受けているため、ＲＴＳフレームを受信できず、送信権取得通信局がいずれの装置であるか把握できない。
無線端末ＷＴ１１は、基地局装置ＡＰ１からＲＴＳフレームを受信すると、自装置内においてＮＡＶ期間が設定されていないため、基地局装置ＡＰ１を送信権取得通信局であると判定する。また、無線端末ＷＴ１１は、受信したＲＴＳフレームが自装置宛であり、かつ自装置内でＮＡＶ期間が設定されていないため、基地局装置ＡＰ１宛にＣＴＳフレームを送信する（時刻ｔ２０２）。
基地局装置ＡＰ１は、無線端末ＷＴ１１からＣＴＳフレームを受信すると、無線端末ＷＴ１１宛のデータフレームを送信する（時刻ｔ２０３）。
無線端末ＷＴ１１は、自装置宛のデータフレームを正しく受信すると、基地局装置ＡＰ１に対してＢＡフレーム（又はＡＣＫフレーム）を返信し（時刻ｔ２０４）、フレームの送受信を終える。
【００６０】
次に、基地局装置ＡＰ１は、無線端末ＷＴ１２宛のデータを送信するため、通知フレームを送信し（時刻ｔ２０５）、更に、無線端末ＷＴ１２宛のＲＴＳフレームを送信する（時刻ｔ２０６）。
無線端末ＷＴ１１及び無線端末ＷＴ１３は、基地局装置ＡＰ１から通知フレームを受信すると、通知フレームの送信元である基地局装置ＡＰ１を送信権取得通信局であると判定し、基地局装置ＡＰ１が送信権取得通信局であることを送信権管理部３に記録する。また、無線端末ＷＴ１１及び無線端末ＷＴ１３は、受信した通知フレームに含まれる持続使用期間情報が示す期間をＮＡＶ期間に設定する。
無線端末ＷＴ１２は、基地局装置ＡＰ１から自装置宛のＲＴＳフレームを受信すると、ＲＴＳフレームの送信元と、送信権管理部３に記憶されている無線通信装置とが一致するため、ＮＡＶ期間が設定されているか否かに関わらず、送信権取得通信局である基地局装置ＡＰ１にＣＴＳフレームを返信する（時刻ｔ２０７）。
基地局装置ＡＰ１は、無線端末ＷＴ１２からＣＴＳフレームを受信すると、無線端末ＷＴ１２宛のデータフレームを送信する（時刻ｔ２０８）。
無線端末ＷＴ１２は、自装置宛のデータフレームを正しく受信すると、基地局装置ＡＰ１に対してＢＡフレーム（又はＡＣＫフレーム）を返信し（時刻ｔ２０９）、フレームの送受信を終える。
【００６１】
次に、基地局装置ＡＰ１は、無線端末ＷＴ１３宛のデータを送信するため、通知フレームを送信し（時刻ｔ２１０）、更に、無線端末ＷＴ１３宛のＲＴＳフレームを送信する（時刻ｔ２１１）。
無線端末ＷＴ１１及び無線端末ＷＴ１２は、基地局装置ＡＰ１から通知フレームを受信すると、通知フレームの送信元である基地局装置ＡＰ１を送信権取得通信局であると判定し、基地局装置ＡＰ１が送信権取得通信局であることを送信権管理部３に記録する。また、無線端末ＷＴ１１及び無線端末ＷＴ１２は、受信した通知フレームに含まれる持続使用期間情報が示す期間をＮＡＶ期間に設定する。
無線端末ＷＴ１３は、基地局装置ＡＰ１から自装置宛のＲＴＳフレームを受信すると、ＲＴＳフレームの送信元と、送信権管理部３に記憶されている無線通信装置と該位置するため、ＮＡＶ期間が設定されているか否かに関わらず、送信権取得通信局である基地局装置ＡＰ１にＣＴＳフレームを返信する（時刻ｔ２１２）。
基地局装置ＡＰ１は、無線端末ＷＴ１３からＣＴＳフレームを受信すると、無線端末ＷＴ１３宛のデータフレームを送信する（時刻ｔ２１３）。
無線端末ＷＴ１３は、自局宛のデータフレームを正しく受信すると、基地局装置ＡＰ１に対してＢＡフレーム（又はＡＣＫフレーム）を返信し（時刻ｔ２１４）、フレームの送受信を終える。
【００６２】
このように、送信権取得通信局（TXOP Holder）となった無線通信装置は、ＴＸＯＰ期間において、フレームの宛先を変更してＲＴＳフレームを送信する前に、自装置が送信権取得通信局であることを示す通知フレームを送信する。これにより、基地局装置ＡＰ１及び無線端末ＷＴ１１〜ＷＴ１３（無線通信装置）は、ＴＸＯＰ期間の開始を示す開始フレームを干渉等で受信できずに、送信権取得通信局を把握することができずとも、干渉を受けなくなった後に通知フレームを受信することにより、いずれの無線通信装置が送信権取得通信局であるかを検出することができる。
無線通信装置は、開始フレームを正しく受信できずとも、送信権取得通信局がいずれの無線通信装置であるかを把握することができるので、送信権取得通信局からの要求に応答せずに再送処理が行われてしまうことを抑制することができる。その結果、無線通信システムにおいて再送処理の発生を抑えて、スループットを改善させることができる。
【００６３】
なお、上述の第１及び第２の実施形態において、基地局装置ＡＰ１が送信権取得通信局となった場合のタイムチャートを示して説明したが、これに限ることなく、無線端末ＷＴ１１〜ＷＴ１３が送信権取得通信局になってもよい。
【００６４】
なお、本発明における無線通信装置の機能を実現するためのプログラムをコンピュータ読み取り可能な記録媒体に記録して、この記録媒体に記録されたプログラムをコンピュータシステムに読み込ませ、実行することにより送信処理及び受信処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。更に、前述した機能をコンピュータシステムに既に記録されているプログラムとの組み合わせで実現できるもの、いわゆる差分ファイル（差分プログラム）であっても良い。
【符号の説明】
【００６６】
ＡＰ１，ＡＰ２，ＡＰ９，ＡＰ…基地局装置
ＷＴ１１，ＷＴ１２，ＷＴ１３，ＷＴ２１，ＷＴ９１，ＷＴ９２，ＷＴ９３，ＷＴ…無線端末
１…無線通信部
２…送信権獲得部
３…送信権管理部
４…制御部（開始フレーム生成部，通知情報生成部，送信権取得通信局判定部）
【図１】
0005731366.tif 000002
【図２】
0005731366.tif 000003
【図３】
0005731366.tif 000004
【図４】
0005731366.tif 000005
【図５】
0005731366.tif 000006
【図６】
0005731366.tif 000007
【図７】
0005731366.tif 000008
【図８】
0005731366.tif 000009
【図９】
0005731366.tif 000010
【図１０】
0005731366.tif 000011
【図１１】
0005731366.tif 000012
【図１２】
0005731366.tif 000013
【図１３】
0005731366.tif 000014
【図１４】
0005731366.tif 000015
【図１５】
0005731366.tif 000016
【図１６】
0005731366.tif 000017
【図１７】
0005731366.tif 000018